(57)【特許請求の範囲】
【請求項１】
ドラムに巻き付けられた電線、ケーブル、ワイヤー、ロープ等を繰り出す機能を有するドラムローラーであって、ドラムローラーは、ドラム軸を回転させるための一対のローラー１，２と、ローラー１，２を支持する台座３と、チェーン５，６と、足掛け部に巻き付けたチェーン５，６をボルト先端のフック部に引っ掛けてナットを締める事でチェーンを足掛け部に固定するボルト及びナット７，８からの固定具を備えた架台４と、から構成され、さらに台座３は、従来から一般に市販されている脚立の足掛け部に装着するために架台４と結合されたドラムローラーであって、上記ドラムローラーを一対で使用し、前記脚立の相対する左右の足掛け部に、左右対称に装着する事を特徴とするドラムローラー。
【発明の詳細な説明】
【技術分野】
【０００１】本発明は、ドラムに巻装されている、電線、ワイヤー、ロープ等を繰り出す作業に使用する道具、ドラムローラーに関する。
【背景技術】
【０００２】一般に、ドラムローラーは、電気工事等で、使用されドラムに巻装されている電線の延線作業に使用されている。図９、図１０、の様に、ドラム本体の中心孔に管を貫通させ、ドラム本体の両側から貫通させた管を持ち上げる事により、ドラムが宙に浮き、管との接触面にローラーを配しているためドラムを回転する事ができる。【０００３】一般に、ドラムローラーは、ドラムを回転させる以外の使い方は、されていない。
【発明の開示】
【発明が解決しようとする課題】
【０００４】従来のドラムローラーは、金属製のため、重量も重く構造も大きいため、自動車への積込時や、建設現場への搬入時などに労力を要する。【０００５】従来のドラムローラーは、１人でドラムをドラムローラーに装着するには労力がいる。
【課題を解決するための手段】
【０００６】本発明は、従来からあるドラムローラーのローラー部分の機能を、従来から一般に市販されている脚立に装着できる機能と融合させ、従来からあるドラムローラーのフレームの代用で脚立を利用することを特徴とする。
【発明の効果】
【０００７】  以上説明したように本願発明によれば、工事業者等が常用する脚立をドラムローラーのフレームと兼用することができる。そのため、ドラム軸を回転させるための一対のローラーと、そのローラーを脚立に装着させるための機構だけで成り立つため、脚立を常用する工事業者にとっては小型、軽量であるといえる。小型、軽量であれば運搬、収納等で省力という効果がある。【０００８】本発明は、構造が小さく単純な為、安価で提供できる。【０００９】本発明を、従来の市販の脚立に装着し、ドラムを繰り出し可能状態にする際にテコの原理が応用出来る為、一人でもドラムを繰り出し可能状態に出来る。
【発明を実施するための最良の形態】
【００１０】以下、本発明の実施の形態を図面に基づき詳細に説明する。【００１１】図１〜図３は、本発明の構造を示す物であり、図１は、側面図、図２は平面図、図３は、正面図、となり、本発明は、これを２台で１組として使用するものである。図１の、ローラー２個を配している上に、ドラムの中心孔を貫通させた管を乗せる事によりドラムが回転し、ドラムに巻装された物が繰り出せる。【００１２】図１〜図３において、本発明架台４は、市販脚立の足掛け部に乗せる事ができる大きさを持つ。そして、架台４上に乗り、ナット７，８に接する部分は架台４に固定され、内部が筒状になり、ナット７，８に組み合わされ先端が曲がり、ネジを施こされたフックボルトが自由にスライドできる構造を持つ。そして、ナット７，８の下部に取付けられたチェーン５，６は、前記フックボルトのフック部に引っ掛けられる穴の大きさを持つ。これらを持って架台４を市販脚立の足掛け部に乗せ、ナット７，８を最大に緩めた前記フックボルトのフック部に市販脚立の足掛け部に巻いたチェーン５，６を各引っ掛け、ナット７，８を締める事で、フックボルトのフック部は、ネジの作用でナット７，８側に引き寄せられ、結果チェーン５，６は、引っ張られ架台４を市販脚立の足掛け部に固定する事が出来る。【００１３】図３、本発明の本体架台下部の空洞は、市販の脚立の中には足掛け部が平らではなく、蒲鉾状に隆起した物も有りそれに対応できる様空洞となっている。また本発明は、全長も短い為、丈の低い脚立にも対応できる。本発明は、チェーンで本発明本体を固定するので色々な形状の足掛け部に固定する事が出来る。【００１４】図１〜図３において、１１、はドラムの横ズレを防止するローラーとなっており１０、と結合している。１０、はスライド機能を持っているため多様のサイズのドラムの横ズレを防止できる。【００１５】図４〜図６は、本発明を従来の市販されている脚立の足掛部に装着した姿図である。【００１６】図７、は従来から市販されている脚立に、本発明を装着し且つドラムを装着した姿図である。本発明を、図７、の様に脚立の足掛け部の端に装着する事で、ドラムの重心が脚立の端になり、ドラムの回転する方向（電線が引っ張られる方向）に対しての脚立の安定が良い。【００１７】図８、本発明の使い方を示した図である。まず、ドラムの半径より高い位置の足掛部（ドラムを装着した時に、ドラムを宙に浮かせる為）の端にローラー部が外側に来る様左右に１台づつ本発明を装着する。（図８−ａ）次に本発明を装着した脚立を足を開いた状態で横に倒おし、脚立の開いてあるスペースにドラムを転がし入れ、ドラムの中心孔が本発明と同じ位置になる様にする。次にドラム支持用の管をドラムの中心孔に貫通させる（図８−ｂ）次に、脚立の天板を持ち脚立を押し上げる。（図８−ｃ）この時に、床面と接している脚立の足の部分が支点、本発明のローラー部が作用点、脚立の天板が力点となり、テコの原理が応用でき、少ない労力で、ドラムを繰り出し可能な状態にできる。（図８−ｄ）
【図面の簡単な説明】
【００１８】
【図１】本発明の側面図である。
【図２】本発明の平面図である。
【図３】本発明の正面図である。
【図４】本発明を従来から市販されている脚立の足掛部に装着した姿図である。
【図５】本発明を従来から市販されている脚立の足掛部に装着した時の足掛部の断面を示した図である。
【図６】本発明を従来から市販されている脚立の足掛部に装着し、ケーブルドラムを本発明上に乗せた図である。
【図７】本発明を従来から市販されている脚立に装着し、ドラムを繰り出し可能な状態にした時の姿図である。
【図８】本発明を利用し、ドラムを繰り出し可能な状態にするまでの方法を示した図である。
【図９】従来から一般に市販され、利用されているドラムローラーにケーブルドラムを装着した時の正面図である。
【図１０】従来から一般に市販され、利用されているドラムローラーにケーブルドラムを装着した時の側面図である。
【符号の説明】
【符号の説明】
【００１９】
１、２  ・・・    回転ローラー
３、    ・・・    回転ローラー支持架台
４、    ・・・    本体
５、６  ・・・    本体固定用チェーン
７、８  ・・・    本体固定用チェーン締めナット
９、    ・・・    ドラム横ズレ防止ローラー支持パイプ固定ネジ
１０、  ・・・    ドラム横ズレ防止ローラー支持パイプ
１１、  ・・・ドラム横ズレ防止ローラー
【図１】
0004207134.tif 000002
【図２】
0004207134.tif 000003
【図３】
0004207134.tif 000004
【図４】
0004207134.tif 000005
【図５】
0004207134.tif 000006
【図６】
0004207134.tif 000007
【図７】
0004207134.tif 000008
【図８】
0004207134.tif 000009
【図９】
0004207134.tif 000010
【図１０】
0004207134.tif 000011